(57)【要約】【課題】ケーブル障害かラマンポンプ光の障害かを簡易に識別できるようにする。【解決手段】ポンプＬＤ２２は、波長λｐのラマンポンプ光を発生し、そのポンプ光は、光サーキュレータ２０により光ファイバ１２に供給される。受光器２４は、ポンプＬＤ２２の出力パワーをモニタする。光分波器２６は、ファイバ１２から光中継器１４に入力した光のほとんどを光アイソレータ２８に、残りを光分離器３０に供給する。光分離器３０は入力光を光信号Ｓａ成分と波長λｐの成分とに分離する。受光器３２，３４は、光分離器３０により分離された信号光成分と波長λｐの成分を電気信号に変換する。比較演算装置３６は、受光器３２，３４の出力を、記憶装置３８に記憶される正常時の値と比較し、光ファイバ１２上のラマン増幅の障害の有無と要因を判定する。【選択図】　図１
2004080301.tif 000002
【特許請求の範囲】
【請求項１】
ラマンポンプ波長のラマンポンプ光により励起されて信号波長の信号光を光増幅する分波ラマン光伝送線路を監視する方法であって、
当該分布ラマン光伝送線路の出力光から、当該信号波長の成分と当該ラマンポンプ波長の成分とを分離する分離ステップ（２６，３０；１２６，１３０；２２６ａ，２３０ａ）と、
当該分離ステップで分離された当該信号波長の成分と当該ラマンポンプ波長の成分の光パワーを計測する光パワー計測ステップ（３２，３４；１３２，１３４；２３２ａ，２３４ａ）と、
当該光パワー計測ステップで計測される当該信号波長の成分の光パワー及び当該ラマンポンプ波長の成分の光パワーの変化から、当該分布ラマン光伝送線路におけるラマン増幅の障害の有無と要因を判定する判定ステップ（３６，３８；４２，４４；１４４，１４６；１４４ａ，１４６ａ；２３６ａ，２４０ａ）
とを具備することを特徴とする分布ラマン光伝送線路の監視方法。
【請求項２】
当該判定ステップは、当該信号波長の成分の光パワーが減少し、且つ、当該ラマンポンプ波長の成分の光パワーが増加するとき、当該分布ラマン光伝送線路の線路障害であると判定し、当該信号波長の成分の光パワー及び当該ラマンポンプ波長の成分の光パワーが共に減少するとき、当該ラマンポンプ光の障害であると判定する請求項１に記載の分布ラマン光伝送線路の監視方法。
【請求項３】
当該ラマンポンプ光が当該分布ラマン光伝送線路に前方及び後方の両方から供給されており、
当該判定ステップは、当該信号波長の成分の光パワーが減少し、且つ、当該ラマンポンプ波長の成分の光パワーが増加するとき、当該分布ラマン光伝送線路の線路障害であると判定し、当該信号波長の成分の光パワー及び当該ラマンポンプ波長の成分の光パワーが共に減少するとき、当該ラマンポンプ光の障害であると判定し、当該信号波長の成分の光パワーが減少し、且つ、当該ラマンポンプ波長の成分の光パワーが実質的に変化しないとき、当該分布ラマン光伝送路線路に前方から供給されるラマンポンプ光の障害であると判定する請求項１に記載の分布ラマン光伝送線路の監視方法。
【請求項４】
当該判定ステップは、
当該分布ラマン光伝送線路のラマン増幅が正常であるときに当該光パワー計測ステップで計測される当該信号波長の成分の光パワー及び当該ラマンポンプ波長の成分の光パワーを記憶装置に記憶する記憶ステップ（３８；４４；１４６；１４６ａ；２４０ａ）と、
当該光パワー計測ステップで計測される当該信号波長の成分の光パワー及び当該ラマンポンプ波長の成分の光パワーを当該記憶装置に記憶される値とそれぞれ比較し、当該分布ラマン光伝送線路におけるラマン増幅の障害の有無と要因を判定する比較ステップ（３６；４２；１４４；１４４ａ；２３６ａ）
とを具備する請求項１に記載の分布ラマン光伝送線路の監視方法。
【請求項５】
当該比較ステップは、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーより増加するとき、当該分布ラマン光伝送線路の線路障害であると判定し、当該信号波長の成分の光パワー及び当該ラマンポンプ波長の成分の光パワーがそれぞれ当該記憶装置に記憶される当該信号波長の成分の光パワー及び当該ラマンポンプ波長の成分の光パワーより減少するとき、当該ラマンポンプ光の障害であると判定する請求項４に記載の分布ラマン光伝送線路の監視方法。
【請求項６】
当該ラマンポンプ光が当該分布ラマン光伝送線路に前方及び後方の両方から供給されており、
当該比較ステップは、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーより増加するとき、当該分布ラマン光伝送線路の線路障害であると判定し、当該信号波長の成分の光パワー及び当該ラマンポンプ波長の成分の光パワーがそれぞれ当該記憶装置に記憶される当該信号波長の成分の光パワー及び当該ラマンポンプ波長の成分の光パワーより減少するとき、当該ラマンポンプ光の障害であると判定し、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーから実質的に変化しないとき、当該分布ラマン光伝送路線路に前方から供給されるラマンポンプ光の障害であると判定する請求項４に記載の分布ラマン光伝送線路の監視方法。
【請求項７】
ラマンポンプ波長のラマンポンプ光により励起されて信号波長の信号光を光増幅する分波ラマン光伝送線路を監視するシステムであって、
当該分布ラマン光伝送線路の出力光から、当該信号波長の成分と当該ラマンポンプ波長の成分とを分離する光分離器（２６，３０；１２６，１３０；２２６ａ，２３０ａ）と、
当該光分離器で分離された当該信号波長の成分と当該ラマンポンプ波長の成分の光パワーをそれぞれ計測する光パワー計測器（３２，３４；１３２，１３４；２３２ａ，２３４ａ）と、
当該光パワー計測器で計測される当該信号波長の成分の光パワー及び当該ラマンポンプ波長の成分の光パワーの変化から、当該分布ラマン光伝送線路におけるラマン増幅の障害の有無と要因を判定する判定装置（３６，３８；４２，４４；１４４，１４６；１４４ａ，１４６ａ；２３６ａ，２４０ａ）
とを具備することを特徴とする分布ラマン光伝送線路の監視システム。
【請求項８】
当該判定装置は、当該信号波長の成分の光パワーが減少し、且つ、当該ラマンポンプ波長の成分の光パワーが増加するとき、当該分布ラマン光伝送線路の線路障害であると判定し、当該信号波長の成分の光パワー及び当該ラマンポンプ波長の成分の光パワーが共に減少するとき、当該ラマンポンプ光の障害であると判定する請求項７に記載の分布ラマン光伝送線路の監視システム。
【請求項９】
当該ラマンポンプ光が当該分布ラマン光伝送線路に前方及び後方の両方から供給されており、
当該判定装置は、当該信号波長の成分の光パワーが減少し、且つ、当該ラマンポンプ波長の成分の光パワーが増加するとき、当該分布ラマン光伝送線路の線路障害であると判定し、当該信号波長の成分の光パワー及び当該ラマンポンプ波長の成分の光パワーが共に減少するとき、当該ラマンポンプ光の障害であると判定し、当該信号波長の成分の光パワーが減少し、且つ、当該ラマンポンプ波長の成分の光パワーが実質的に変化しないとき、当該分布ラマン光伝送路線路に前方から供給されるラマンポンプ光の障害であると判定する請求項７に記載の分布ラマン光伝送線路の監視システム。
【請求項１０】
当該判定装置は、
当該分布ラマン光伝送線路のラマン増幅が正常であるときに当該光パワー計測ステップで計測される当該信号波長の成分の光パワー及び当該ラマンポンプ波長の成分の光パワーを記憶する記憶装置（３８；４４；１４６；１４６ａ；２４０ａ）と、
当該光パワー計測装置で計測される当該信号波長の成分の光パワー及び当該ラマンポンプ波長の成分の光パワーを当該記憶装置に記憶される値とそれぞれ比較し、当該分布ラマン光伝送線路におけるラマン増幅の障害の有無と要因を判別する比較装置（３６；４４；１４４；１４４ａ；２３６ａ）
とを具備する請求項１に記載の分布ラマン光伝送線路の監視システム。
【請求項１１】
当該比較装置は、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーより増加するとき、当該分布ラマン光伝送線路の線路障害であると判定し、当該信号波長の成分の光パワー及び当該ラマンポンプ波長の成分の光パワーがそれぞれ当該記憶装置に記憶される当該信号波長の成分の光パワー及び当該ラマンポンプ波長の成分の光パワーより減少するとき、当該ラマンポンプ光の障害であると判定する請求項１０に記載の分布ラマン光伝送線路の監視装置。
【請求項１２】
当該ラマンポンプ光が当該分布ラマン光伝送線路に前方及び後方の両方から供給されており、
当該比較装置は、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーより増加するとき、当該分布ラマン光伝送線路の線路障害であると判定し、当該信号波長の成分の光パワー及び当該ラマンポンプ波長の成分の光パワーがそれぞれ当該記憶装置に記憶される当該信号波長の成分の光パワー及び当該ラマンポンプ波長の成分の光パワーより減少するとき、当該ラマンポンプ光の障害であると判定し、当該信号波長の成分の光パワーが当該記憶装置に記憶される当該信号波長の成分の光パワーより減少し、且つ、当該ラマンポンプ波長の成分の光パワーが当該記憶装置に記憶される当該ラマンポンプ波長の成分の光パワーから実質的に変化しないとき、当該分布ラマン光伝送路線路に前方から供給されるラマンポンプ光の障害であると判定する請求項１０に記載の分布ラマン光伝送線路の監視システム。
【発明の詳細な説明】
【０００１】
【発明の属する技術分野】
本発明は、分布ラマン光伝送線路の監視方法及びシステムに関する。
【０００２】
【従来の技術】
光ファイバ伝送システムにおける光伝送路の障害の有無と箇所を検出する手段として、Ｃ−ＯＴＤＲ（Ｃｏｈｅｒｅｎｔ　Ｏｐｔｉｃａｌ　Ｔｉｍｅ　Ｄｏｍａｉｎ　Ｒｅｆｌｅｃｔｏｍｅｔｒｙ）が知られている。Ｃ−ＯＴＤＲでは、戻り光の光パワーを時系列で観察することで、障害の有無と発生箇所を特定できるので、非常に使いやすい。
【０００３】
光増幅中継システムとして、エルビウム添加光増幅ファイバ（ＥＤＦＡ）を適当な間隔に配置する構成と、ラマン増幅を使用する構成、及び、ＥＤＦＡとラマン増幅を併用する構成がある。
【０００４】
ＥＤＦＡを用いる光増幅中継方式では、従来、Ｃ−ＯＴＤＲ等により光伝送路の障害を識別しており、これにより、障害が光伝送路にあるのかその他の箇所にあるのかを区別できている。
【０００５】
【発明が解決しようとする課題】
ラマン増幅を使用する光伝送路の場合、戻り光の光パワーレベルだけでは、Ｃ−ＯＴＤＲにではケーブル障害かラマンポンプ光の障害かを識別できない。
【０００６】
本発明は、ケーブル障害かラマンポンプ光の障害かを簡易に識別できる分布ラマン光伝送線路の監視方法及びシステムを提示することを目的とする。
【０００７】
【課題を解決するための手段】
本発明に係る分布ラマン光伝送線路の監視方法は、ラマンポンプ波長のラマンポンプ光により励起されて信号波長の信号光を光増幅する分波ラマン光伝送線路を監視する方法であって、当該分布ラマン光伝送線路の出力光から、当該信号波長の成分と当該ラマンポンプ波長の成分とを分離する分離ステップと、当該分離ステップで分離された当該信号波長の成分と当該ラマンポンプ波長の成分の光パワーを計測する光パワー計測ステップと、当該光パワー計測ステップで計測される当該信号波長の成分の光パワー及び当該ラマンポンプ波長の成分の光パワーの変化から、当該分布ラマン光伝送線路におけるラマン増幅の障害の有無と要因を判定する判定ステップとを具備することを特徴とする。
【０００８】
本発明に係る分布ラマン光伝送線路の監視システムは、ラマンポンプ波長のラマンポンプ光により励起されて信号波長の信号光を光増幅する分波ラマン光伝送線路を監視するシステムであって、当該分布ラマン光伝送線路の出力光から、当該信号波長の成分と当該ラマンポンプ波長の成分とを分離する光分離器と、当該光分離器で分離された当該信号波長の成分と当該ラマンポンプ波長の成分の光パワーをそれぞれ計測する光パワー計測器と、当該光パワー計測器で計測される当該信号波長の成分の光パワー及び当該ラマンポンプ波長の成分の光パワーの変化から、当該分布ラマン光伝送線路におけるラマン増幅の障害の有無と要因を判定する判定装置とを具備することを特徴とする。
【０００９】
【実施例】
以下、図面を参照して、本発明の実施例を詳細に説明する。
【００１０】
（第１実施例）
図１は、後方励起のラマン増幅を使用する光増幅伝送路に適用した第１実施例の概略構成ブロック図を示す。
【００１１】
端局１０は、ラマン増幅媒体となる光ファイバ１２、光中継器１４及び光ファイバ１６を介して端局１８と接続する。光中継器１４は、光ファイバ１２にラマンポンプ光を供給する。図１では、単一の光中継器１４のみを図示したが、長距離のシステムでは、光中継器１４と同様の構成の複数の光中継器が光伝送路上に配置される。各光中継器は、光中継器１４と同様に、上流側の光ファイバにラマンポンプ光を供給する。
【００１２】
端局１０では、光送信装置１０ａが、入力データＤａを搬送する光信号Ｓａを生成する。光信号Ｓａは、１波長のみからなる場合でも、複数波長からなる場合でも、どちらでもよい。監視制御装置１０ｂは、光ファイバ１２のラマン増幅のステータス情報を計測するように光中継器１４に指示するテレコマンド信号を出力する。光アンプ１０ｃは、光送信装置１０ａから出力される光信号Ｓａを光増幅すると共に、そのゲインをテレコマンド信号により制御される可変利得光アンプである。ゲインの微弱変調により、光信号Ｓａにテレコマンド信号を重畳できる。このような方法は、周知である。光アンプ１０ｃの出力光は、光ファイバ１２を伝搬して光中継器１４に入力する。
【００１３】
光中継器１４では、光ファイバ１２を伝搬した光が光サーキュレータ２０のポートＡに入力し、ポートＢから出力される。ポンプ光源となるレーザダイオード（ＬＤ）２２は、光ファイバ１２上でラマン増幅を生じさせる波長λｐのポンプ光を発生する。図２は、光ファイバ１２から光中継器１４に入力する光のスペクトル例を示す。横軸は波長を示し、縦軸は光パワーを示す。図２に示す例では、信号光Ｓａは１６００ｎｍ帯のＷＤＭ信号光からなり、ラマン増幅のポンプ光の波長λｐは、約１５００ｎｍである。図２に示すスペクトルで、波長λｐの部分のピークは、ラマン・ポンプ光のレイリー散乱光からなる。後述するように、本実施例では、このレイリー散乱光の光パワーをモニタする。
【００１４】
受光器２４は、ポンプＬＤ２２から出力されるパワー監視用出力光を受光し、電気信号に変換する。ラマンＬＤ２２から出力されるポンプ光は、光サーキュレータ２０のポートＡに入力し、ポートＢから光ファイバ１２に供給される。これにより、光ファイバ１２ａ上でラマン増幅が起こり、端局１０からの信号光Ｓａが光増幅される。
【００１５】
光分波器２６は、光サーキュレータ２０のポートＣから出力される光、即ち、光ファイバ１２から光中継器１４に入力した光のほとんど（例えば、９／１０程度）を光アイソレータ２８に、残り（例えば、１／１０程度）を光分離器３０に供給する。光アイソレータ２８は光ファイバ１６からの戻り光（散乱光及び反射光等）及び、後段の光中継器（図示せず）からのポンプ光が光中継器１４の内部に入るのを防止する。光信号Ｓａ（とテレコマンド信号）は、光アイソレータ２８を通過し、光ファイバ６を伝搬して、端局１８に入力する。
【００１６】
端局１８では、光受信装置１８ａが、光ファイバ１６から入力する光信号Ｓａを受信し、データＤａを復調する。
【００１７】
光分離器３０は、入力光を光信号Ｓａ成分と光ファイバ１２におけるラマンポンプ光のレイリー散乱成分とに分離する。光分離器３０の入射光の光パワーのほとんどは、光信号Ｓａの成分とラマンポンプ光のレイリー散乱光成分からなり、これら以外のバックグランド光は無視できるほどに弱い。従って、光分離器３０は、入射光から信号波長λｓの成分とそれ以外とを分離する光フィルタ装置、入射光からラマンポンプ波長λｐの成分とそれ以外を分離する光フィルタ装置、及び、入射光から信号波長λｓの成分とラマンポンプ波長λｐの成分とを個別に分離する光フィルタ装置の何れであってもよい。
【００１８】
受光器３２は、光分離器３０により分離された信号光成分を電気信号に変換し、受光器３４は、光分離器３０により分離されたレイリー散乱光成分を電気信号に変換する。受光器３２，３４の出力は、比較演算装置３６に入力する。受光器２４ａの出力も比較演算装置３６に供給される。
【００１９】
比較演算装置３６は、受光器３２の出力に含まれるテレコマンド信号を解析し、初期状態記憶命令の場合には、正常時の受光器２４，３２，３４に従い、各光パワーの初期値（正常時の光パワー）を記憶装置３８に記憶し、比較演算命令の場合には、後述する比較演算を実行し、演算結果を監視制御装置１０ｂに送信する。
【００２０】
比較演算装置３６は、光ファイバ１２上のラマン増幅が正常に動作している初期時には、受光器２４，３２，３４の出力に従い、ポンプ光パワーＰｐ、信号光パワーＰｓ及びレイリー散乱光パワーＰｒを、それぞれ正常時の光パワーＰｐｎ，Ｐｓｎ，Ｐｒｎとして記憶装置３８に格納する。比較演算装置３６は、比較演算命令に対して、現在のポンプ光パワーＰｐ、信号光パワーＰｓ及びレイリー散乱光パワーＰｒを正常時の値Ｐｐｎ，Ｐｓｎ，Ｐｒｎとそれぞれ比較し、その比較結果により、光ファイバ１２の障害（損失の増加）とポンプ光源２２及びその伝搬経路の障害とを識別し、その識別結果としての光ファイバ１２のラマン増幅のステータス情報、即ち、障害発生の有無と障害箇所を示す情報を監視制御装置１０ｂに通知する。比較演算装置３６から監視制御装置１０ｂへの通知方法には、例えば、端局１２から端局１０に送信される信号光のゲインを微弱変調して多重する方法がある。監視制御装置１０ｂは、光中継器１８からの監視結果をモニタ画面上に表示し、又は印刷出力する。
【００２１】
図３は、光ファイバ１２におけるラマン増幅のステータスを監視する動作のフローチャートを示す。
【００２２】
上述のように、端局１０は、光中継器１４に対するテレコマンド信号を光信号Ｓａに重畳して光中継器１４に送信する（Ｓ１）。
【００２３】
光中継器１４では、上述のように、光分波器２６が、光ファイバ１２からの入力光の一部を分離する（Ｓ２）。光分離器３０が、信号光成分Ｓａとラマンポンプ光のレイリー散乱光成分を分離し、比較演算装置３６が、それぞれの受光器３２，３４の出力から信号光成分Ｓａの光パワーＰｓとレイリー散乱光成分の光パワーＰｒを検出し（Ｓ３）、受光器２４の出力からラマンポンプ光パワーＰｐを検出する（Ｓ４）。信号光成分の光パワーＰｓ及びポンプ光の光パワーＰｐは、ピークパワーでも平均パワーでもよい。
【００２４】
なお、光ファイバ１２でラマン増幅が正常に動作しているときの光パワーＰｓ，Ｐｒ，Ｐｐが、事前に測定され、記憶装置４０ａにそれぞれ格納されている。それぞれの正常時の値をＰｓｎ，Ｐｒｎ，Ｐｐｎとする。
【００２５】
比較演算装置３６は、測定された現在の光パワーＰｓ，Ｐｒ，Ｐｐを正常時の値Ｐｓｎ，Ｐｒｎ，Ｐｐｎとそれぞれ比較し、その比較結果により伝送路の障害かラマンポンプ光の障害かを判別する（Ｓ５）。この判別処理の詳細は、図４を参照して後で説明する。ステップＳ５により、障害無し、ポンプ光源２２の障害、ポンプ光（の伝送経路）の障害及び光ファイバ１２の障害の何れの状態にあるかを判別できる。なお、ここで問題とする障害は、光ファイバの断線といった重度の障害ではなく、ラマン増幅特性の劣化といった軽度の障害である。
【００２６】
比較演算装置３６は、障害の判別結果に応じてテレメトリ信号を生成して監視制御装置１０ｂに送信する（Ｓ６）。例えば、端局１２から端局１０に信号光を送信する光ファイバ伝送路が光ファイバ１２，１６と並列に用意されている場合、テレメトリ信号を端局１０に送信する方法として、端局１２から端局１０に伝送される信号光にそのテレメトリ信号を重畳するが知られている。勿論、その他の信号伝送媒体を使用しても良い。
【００２７】
端局１０の監視制御装置１０ｂは、光中継器１４からのテレメトリ信号を解析し、光ファイバ１２におけるラマン増幅のステータスを認知する（Ｓ７）。その結果、光ファイバ１２におけるラマン増幅に障害が認められた場合（Ｓ８）、その障害箇所をオペレータに指示することにより障害復旧作業を促す（Ｓ９）。障害復旧作業が自動実行可能な場合、監視制御装置１０ｂは、該当する箇所に障害復旧作業を実行させる。
【００２８】
図４は、ステップＳ５の処理、即ち、比較演算装置３６における障害の有無と箇所の判別処理のフローチャートを示す。なお、Ｐｐｎ，Ｐｓｎ，Ｐｒｎは、それぞれ、ポンプ光パワー、信号光パワー及びレイリー散乱光パワーについて事前に則された正常時の値である。現在の各光パワーＰｐ，Ｐｓ，Ｐｒを正常時の値Ｐｐｎ，Ｐｓｎ，Ｐｒｎと比較する際には、所定の許容誤差が考慮される。
【００２９】
先ず、ラマンポンプ光パワーＰｐが正常時の値Ｐｐｎより減少しているかどうかを判別する（Ｓ２１）。ラマンポンプ光パワーＰｐが正常時の値Ｐｐｎより減少している場合、ポンプ光源２２ａの障害であると判断する（Ｓ２２）。
【００３０】
ラマンポンプ光パワーＰｐが正常時の値Ｐｐｎより減少していない場合（Ｓ２１）、信号光パワーＰｓを正常時の光パワーＰｓｎと対比する（Ｓ２３）。信号光パワーＰｓが正常時の値Ｐｓｎより減少していない場合（Ｓ２３）、光ファイバ１２におけるラマン増幅に障害無しと判断する（Ｓ２４）。
【００３１】
信号光パワーＰｓが正常時の値Ｐｓｎより減少している場合（Ｓ２３）、ラマンポンプ光のレイリー散乱光成分の光パワーＰｒを正常時の値Ｐｒｎと比較する（Ｓ２５）。そして、レイリー散乱光成分の光Ｐｒが、正常時の値Ｐｒｎより減少している場合（Ｓ２５）、ポンプ光に関係する障害であると判断し（Ｓ２６）、そうでない場合（Ｓ２５）、光ファイバ１２の障害（ケーブル障害）であると判断する（Ｓ２７）。光ファイバ１２の障害は、主として信号光の伝送損失の増加である。光ファイバ１２の切断は、他の監視システムから報知される。
【００３２】
なお、ポンプ光に関係する障害には、ポンプ光源２２の障害以外に、受光器２４の故障、ポンプ光源２２から光パワー監視用に出力される光が受光器２４に正しく入力しない障害、及び、光サーキュレータ２０がポンプ光源２２の出力ポンプ光を光ファイバ１２に正しく転送できない障害等が含まれる。ステップＳ２６では、主として、ポンプ光源２２の出力ポンプ光が適切に光ファイバ１４に供給されない障害が発見されるが、勿論、ポンプ光に関するその他の障害も検出され得る。
【００３３】
図５は、後方励起の場合で、光ケーブルの障害とポンプ光源の障害とで信号光パワーＰｓとレイリー散乱光パワーＰｒがどのように変化するかを調べた結果を示す。横軸は、信号光パワーＰｓと正常時の信号光パワーＰｓｎとの差を示し、縦軸はラマンポンプ光のレイリー散乱光パワーＰｒとその正常時の値Ｐｒｎとの差を示す。図５から、ケーブル障害とポンプ光障害とで、光パワーＰｓ，Ｐｒが全く異なる変化を示すことが分かる。即ち、ケーブル障害では、信号光パワーＰｓが減少するが、レイリー散乱光の光パワーＰｐが僅かに増加する。これに対し、ポンプ光障害では、信号光パワーＰｓ及びレイリー散乱光パワーＰｒが共に減少する。ポンプ光障害では、ポンプ光がラマン増幅媒体となる光ファイバに全く又は一部しか供給されないので、ラマン増幅が発生せず、結果として、信号光パワーＰｓ及びレイリー散乱光パワーＰｒが共に減少する。本実施例では、この実験結果に基づき、図４に示す手順で、ケーブル障害とポンプ光障害を識別している。
【００３４】
端局１０，１８間に、ラマン増幅媒体となる複数の光ファイバがシリアルに配置されている場合、端局１８に近い光ファイバから順に、即ち、下流側の光ファイバから上流側の光ファイバに向かって順番に、ラマン増幅状態を計測する。
【００３５】
図１に示す実施例の変更例として、光中継器１４には、測定された光パワーＰｓ，Ｐｒ，Ｐｐを送信する機能のみを持たせ、端局１０の監視制御装置１０ｂに比較演算装置３６及び記憶装置３８の機能を持たせても良い。図６は、そのように変更した構成の概略構成ブロック図を示す。図６に示す変更例では、光中継器１４では、送信装置４０が、受光器２４，３２，３４の出力を端局１０の監視制御装置１０ｂに送信する。監視制御装置１０ｂは、比較演算装置３６と同様の機能の比較演算装置４２，及び、記憶装置３８と同様の機能の記憶装置４４を具備し、現在の測定された光パワーＰｓ，Ｐｒ，Ｐｐを正常時の光パワーＰｓｎ，Ｐｒｎ，Ｐｐｎとそれぞれ比較して、障害の有無と箇所を判別する。
【００３６】
（第２実施例）
図７は、前方励起によるラマン増幅の実施例の概略構成ブロック図を示す。
【００３７】
端局１１０は、ラマン増幅媒体となる光ファイバ１１２、光中継器１１４及び光ファイバ１１６を介して端局１１８と接続する。端局１１０は、光ファイバ１１２にラマンポンプ光を供給する。長距離の光伝送路では、光中継器１１４と同じ構成の複数の光中継器が光伝送路上に配置される。
【００３８】
端局１１０では、光送信装置１１０ａが、入力データＤａを搬送する光信号Ｓａを生成する。光信号Ｓａは、１波長のみからなる場合でも、複数波長からなる場合でも、どちらでもよい。監視制御装置１１０ｂは、上流側の光ファイバ１１２のラマン増幅のステータス情報を計測するように光中継器１１４に指示するテレコマンド信号を出力する。光アンプ１１０ｃは、光送信装置１１０ａから出力される光信号Ｓａを光増幅すると共に、そのゲインをそのテレコマンド信号により制御される可変利得光アンプである。ゲインの微弱変調により、光信号Ｓａにテレコマンド信号を重畳できる。このような方法は、周知である。
【００３９】
端局１１０は更に、光ファイバ１１２でラマン増幅を生じさせる波長λｐのラマンポンプ光を発生するポンプ光源であるレーザダイオード１２０を具備する。光合波器１２２は、光アンプ１１０ｃの出力光にポンプＬＤ１２０の出力光を合波し、合波光を光ファイバ１１２に出力する。受光器１２４は、ポンプＬＤ１２０から出力されるパワー監視用出力光を受光し、電気信号に変換する。受光器１２４の出力は監視制御装置１１０ｂに印加される。
【００４０】
光ファイバ１１２上では、ポンプＬＤ１２０からのラマンポンプ光によりラマン増幅が発生し、これにより信号光Ｓａが光増幅される。
【００４１】
光中継器１１４では、光分波器１２６が、光ファイバ１１２から光中継器１１４に入力した光のほとんど（例えば、９／１０程度）を光アイソレータ１２８に、残り（例えば、１／１０程度）を光分離器１３０に供給する。光アイソレータ１２８は後段の光素子、例えば、光ファイバ１１６からの戻り光（散乱光及び反射光等）が遡るのを防止する。光信号Ｓａ（とテレコマンド信号）は、光アイソレータ１２８を通過し、後述する光合波器１４０及び光ファイバ１１６を介して端局１１８に入力する。
【００４２】
端局１１８では、光受信装置１１８ａが、光ファイバ１６から入力する光信号Ｓａを受信し、データＤａを復調する。
【００４３】
光分離器１３０は、入力光を光信号Ｓａ成分とラマンポンプ波長λｐの成分とに分離する。波長λｐの成分は、光ファイバ１１２で吸収されなかった残存ラマンポンプ光と、光ファイバ１１２におけるラマンポンプ光のレイリー散乱光とからなる。光分離器３０の入射光の光パワーのほとんどは、光信号Ｓａの成分とラマンポンプ波長λｐの成分からなり、これら以外のバックグランド光は無視できるほどに弱い。従って、光分離器１３０は、光分離器３０と同様に、入射光から信号波長λｓの成分とそれ以外とを分離する光フィルタ装置、入射光からラマンポンプ波長λｐの成分とそれ以外を分離する光フィルタ装置、及び、入射光から信号波長λｓの成分とラマンポンプ波長λｐの成分とを個別に分離する光フィルタ装置の何れであってもよい。
【００４４】
受光器１３２は、光分離器１３０により分離された信号光成分を電気信号に変換し、受光器１３４は、光分離器１３０により分離されたラマンポンプ波長λｐの光成分を電気信号に変換する。受光器１３２，１３４の出力は、送信装置１３６に入力する。
【００４５】
光中継器１１４は更に、後段の光ファイバ１１６でラマン増幅を生じさせる波長λｐのポンプ光を発生するポンプＬＤ１３８を具備する。ポンプＬＤ１３８の出力光波長は、ポンプＬＤ１２０の出力光波長と厳密に等しいことは要求されない。光合波器１４０は、ポンプＬＤ１３８から出力されるラマンポンプ光を、光アイソレータ１２８の出力光に合波し、その合波光を光ファイバ１１６に出力する。これにより、光ファイバ１１６上でラマン増幅が起こり、信号光Ｓａが光増幅される。
【００４６】
受光器１４２は、ポンプＬＤ１３８から別に出力されるパワー監視用出力光を受光し、電気信号に変換する。受光器１４２の出力は送信装置１３６に印加される。
【００４７】
送信装置１３６は、受光器１３２，１３４，１４２の出力から、ラマン増幅後の信号光パワー、ラマン増幅媒体から出力されるラマンポンプ波長成分の光パワー、及びラマンポンプ光の光パワーを算出し、各光パワーを示す情報をテレメトリ信号として端局１１０の監視制御装置１１０ｂに送信する。送信装置１３６から監視制御装置１１０ｂへの信号伝送媒体と方法は、上述した実施例及び変更例で説明したのと同じ伝送媒体及び方法でよい。
【００４８】
監視制御装置１１０ｂは、第１実施例の比較演算装置３６及び記憶装置３８と同様に動作する比較演算装置１４４及び記憶装置１４６を具備する。監視制御装置１１０ｂは、光ファイバ１１２，１１６のラマン増幅が正常に動作している状態で、各光中継器１１４に初期状態送信命令を送信して、ラマン増幅後の信号光パワー、ラマン増幅媒体から出力されるラマンポンプ波長λｐの成分の光パワー、及びラマンポンプ光の光パワーを示す情報を返信させ、比較演算装置１４４は、それらを正常時の光パワー値の情報として記憶装置１４６に格納する。
【００４９】
監視状態では、比較演算装置１４４は、監視対象の光ファイバに対して、ラマンポンプ光の光パワーＰｐ、監視対象の光ファイバから出力される信号光パワーＰｓ及び、監視対象の光ファイバから出力されるポンプ波長λｐの成分の光パワーＰｒをそれぞれ正常動作時の光パワーと比較し、障害の有無と箇所を判定する。例えば、監視対象が光ファイバ１１２である場合、比較演算装置１４４は、受光器１２４，１３２，１３４の出力に従い、光ファイバ１１２におけるラマンポンプ光の光パワーＰｐ、光ファイバ１１２から出力される信号光パワーＰｓ及び、光ファイバ１１２から出力されるポンプ波長λｐの成分（残存ポンプ光パワーとそのレイリー散乱光）の光パワーＰｒを正常時に光パワーと比較する。
【００５０】
図８は、前方励起の場合の、障害要因別の光パワーＰｓ，Ｐｒの変化例を示す。横軸は、信号光パワーＰｓの、正常時の値Ｐｓｎからの差を示し、縦軸は、監視対象の光ファイバから出力されるラマンポンプ波長λｐの成分の光パワーＰｒの、正常時の値Ｐｒｎからの差を示す。図５及び図８から理解できるように、基本的に、前方励起の場合も、障害に対して後方励起の場合と同様の傾向を示す。但し、前方励起の場合、ポンプ光の障害に対するポンプ波長成分の減少、及び、ケーブル障害に対するポンプ波長成分の増加が、共に、後方励起の場合よりも顕著である。
【００５１】
従って、前方励起の場合も、障害の有無及び障害が監視対象の光ファイバ自身にあるのか、ポンプ光が十分に監視対象の光ファイバに供給されないのかを判定する比較演算装置１４４のアルゴリズムは、図４に示すフローチャート同じでよい。勿論、障害の程度を決定する閾値は、前方励起と後方励起とは異なる。
【００５２】
端局１１０，１１８間に、ラマン増幅媒体となる複数の光ファイバがシリアルに配置されている場合、端局１１８に近い光ファイバから順に、即ち、下流側の光ファイバから上流側の光ファイバに向かって順番に、ラマン増幅状態を計測する。
【００５３】
（第３実施例）
図９は、双方向励起の実施例の概略構成ブロック図を示す。図９に示す構成は、図７に示す前方励起の構成に、後方励起のポンプ光源を追加した構成になっている。即ち、光中継器１１４ａには、光サーキュレータ２０，ポンプＬＤ２２及び受光器２４にそれぞれ対応する光サーキュレータ１５０、ポンプＬＤ１５２及び受光器１５４が追加され、送信装置１３６に代えて送信装置１５６が配置されている。送信装置１５６は、受光器１３２，１３４，１４２，１５４の出力に従い各光パワーの情報を端局１１０ａの監視制御装置１４４ａに送信する。
【００５４】
比較演算装置１５８及び記憶装置１６０はそれぞれ比較演算装置１４４及び記憶装置１４６と同様に動作する。即ち、記憶装置１６０には正常なラマン増幅状態のときの各光パワー値が格納される。比較演算装置１５８は、比較演算装置１４４と同様に、記憶装置１６０に記憶される正常時の光パワー値を参照し、現在の各光パワーと正常時の光パワーをそれぞれ対比して、光ファイバ１１２のラマン増幅における障害の有無及び箇所を判定する。
【００５５】
図１０は、双方向励起の場合の、障害要因別の光パワーＰｓ，Ｐｒの変化例を示す。横軸は、信号光パワーＰｓの、正常時の値Ｐｓｎからの差を示し、縦軸は、監視対象の光ファイバから出力されるラマンポンプ波長λｐの成分の光パワーＰｒの、正常時の値Ｐｒｎからの差を示す。双方向励起の場合には、ポンプ光の障害として、前方励起のポンプ光の障害と、後方励起のポンプ光の障害と、両ポンプ光の障害がありうる。
【００５６】
後方励起のポンプ光の障害の場合、信号光Ｐｓの光パワーが減少するが、光パワーＰｒはあまり変化しない。換言すると、信号光Ｐｓの光パワーが減少しているが、光パワーＰｒはあまり変化していない場合、後方励起のポンプＬＤ１５２の障害か、ポンプＬＤ１５２から出力されるポンプ光の光ファイバ１１２への伝達経路の障害が考えられる。
【００５７】
端局１１０，１１８間に、ラマン増幅媒体となる複数の光ファイバがシリアルに配置されている場合、端局１１８に近い光ファイバから順に、即ち、下流側の光ファイバから上流側の光ファイバに向かって順番に、ラマン増幅状態を計測する。
【００５８】
（第４実施例）
図１１は、後方励起の場合で、ラマン増幅監視のための主要な装置を光中継器に配置し、端局には光中継器を制御し、光中継器から障害判定結果を受信する監視制御装置を配置した実施例の概略構成ブロック図を示す。
【００５９】
端局２１０，２１２間に、光ファイバ２１４ａ，２１４ｂ，２１６ａ，２１６ｂ及び光中継器２１８が配置される。即ち、端局２１０から出力される信号光Ｓａは、光ファイバ２１４ａ、光中継器２１８及び光ファイバ２１４ｂを介して端局２１２に入力する。また、端局２１２から出力される信号光Ｓｂは、光ファイバ２１６ａ、光中継器２１８及び光ファイバ２１６ｂを介して端局２１０に入力する。実際のシステムでは、光中継器２１８と同様の構成の複数の光中継器が、端局２１０，２１２間にシリアルに配置されるが、図１では、代表的に１つの光中継器２１８のみを図示してある。本実施例では、光ファイバ２１４ａ，２１６ａがラマン増幅の光増幅媒体となる。
【００６０】
本実施例では、端局２１０は、データＤａを搬送する光ＷＤＭ信号Ｓａに光中継器２１８を遠隔制御するテレコマンド信号を重畳して光ファイバ２１４ａに出力する。テレコマンド信号を重畳された光信号は、光ファイバ２１４ａを伝搬して光中継器２１８に入力する。光中継器２１８は、端局２１０からのテレコマンド信号に従って、光ファイバ２１４ａにおけるラマン増幅を監視及び制御し、その監視及び制御結果を示すテレメトリ信号を端局２１２から端局２１０に送信される光ＷＤＭ信号Ｓｂに重畳して、端局２１０に送信する。
【００６１】
端局２１２は、データＤｂを搬送する光ＷＤＭ信号Ｓｂに光中継器１８を遠隔制御するテレコマンド信号を重畳して光ファイバ２１６ａに出力する。テレコマンド信号を重畳された光ＷＤＭ信号Ｓｂは、光ファイバ２１６ａを伝搬して光中継器２１８に入力する。光中継器２１８は、端局２１２からのテレコマンド信号に従って、光ファイバ２１６ａにおけるラマン増幅を監視及び制御し、その監視及び制御結果を示すテレメトリ信号を端局２１０から端局２１２に送信される光ＷＤＭ信号Ｓａに重畳して、端局２１２に送信する。
【００６２】
端局２１０は、光ファイバ２１４ａのラマン増幅を監視及び制御するように光中継器２１８に指示するテレコマンド信号を発生する監視制御装置２１０ａと、入力データＤａを搬送する光ＷＤＭ信号Ｓａを生成し、監視制御装置２１０ａからのテレコマンド信号を重畳して光ファイバ２１４ａに出力する光送信装置２１０ｂと、光ファイバ２１６ｂから入力する光を受信し、データＤｂを復元出力し、信号光Ｓｂに重畳されるテレメトリ信号を監視制御装置２１０ａに供給する光受信装置２１０ｃからなる。
【００６３】
端局２１２も、端局２１０と同様の構成からなり、光ファイバ２１６ａのラマン増幅を監視及び制御するように光中継器２１８に指示するテレコマンド信号を発生する監視制御装置２１２ａと、入力データＤｂを搬送する光ＷＤＭ信号Ｓｂを生成し、監視制御装置２１２ａからのテレコマンド信号を重畳して光ファイバ２１６ａに出力する光送信装置２１２ｂと、光ファイバ２１４ｂから入力する光の光ＷＤＭ信号ＳａからデータＤａを復元出力し、光信号Ｓａに重畳されるテレメトリ信号を監視制御装置２１２ａに供給する光受信装置２１２ｃからなる。
【００６４】
光中継器２１８の構成と動作を詳細に説明する。光ファイバ２１４ａを伝搬した光は、光サーキュレータ２２０ａのポートＡに入力し、ポートＢから出力される。ラマンポンプ光源であるポンプＬＤ２２２ａは、光ファイバ２１４ａ上でラマン増幅を生じさせる波長λｐのポンプ光を発生する。受光器２２４ａは、ポンプＬＤ２２２ａから出力されるパワー監視用出力光を受光し、電気信号に変換する。ポンプＬＤ２２２ａから出力されるポンプ光は、光サーキュレータ２２０ａのポートＡに入力し、ポートＢから光ファイバ２１４ａに供給される。これにより、光ファイバ２１４ａは、後方励起のラマン増幅により端局２１０からの信号光Ｓａを光増幅する。
【００６５】
光分波器２２６ａは、光サーキュレータ２２０ａのポートＣから出力される光のほとんど（例えば、９／１０程度）を光アイソレータ２２８ａに、残り（例えば、１／１０程度）を光分離器２３０ａに供給する。光アイソレータ２２８ａは光ファイバ２１４ｂからの戻り光（反射光及び散乱光等）及び、後段の光中継器（図示せず）からのポンプ光が光中継器２１８の内部に入るのを防止する。光ＷＤＭ信号Ｓａ（とテレコマンド信号）は、光アイソレータ２２８ａを通過し、光ファイバ２１４ｂに入力する。
【００６６】
光分離器２３０ａは、光分離器３０と同様に、入力光を光ＷＤＭ信号Ｓａの成分と、波長λｐの成分（光ファイバ１５４ａにおけるラマンポンプ光のレイリー散乱光成分）とに分離して、別々に抽出する。
【００６７】
受光器２３２ａは、光分離器２３０ａにより分離された信号光成分を電気信号に変換し、受光器２３４ａは、光分離器３０ａにより分離された波長λｐの光成分を電気信号に変換する。受光器２３２ａ，２３４ａの出力は、比較演算装置２３６ａに入力し、受光器２３２ａの出力はまた、制御装置２３８ａにも入力する。比較演算装置２３６ａには受光器２２４ａの出力も印加されている。
【００６８】
制御装置２３８ａは、受光器２３２ａの出力に含まれるテレコマンド信号を解析し、その結果により、比較演算装置２３６ａ及びポンプＬＤ２２２ｂを制御する。制御装置２３８ａはまた、制御装置２３８ｂと相互に種々の情報をやり取りしており、制御装置２３８ｂを介して比較演算装置２３６ｂ及びポンプＬＤ２２２ａを制御することも可能である。
【００６９】
比較演算装置２３６ａは、受光器２２４ａ，２３２ａ，２３４ａの出力に従い、ポンプ光パワーＰｐ、信号光パワーＰｓ及びレイリー散乱光パワーＰｒを正常時の値と比較し、その比較結果により、光ファイバ２１４ａの障害とポンプ光源２２２ａ及びその伝搬経路の障害とを識別する。比較演算装置２３６ａの動作は、比較演算装置３６の動作と基本的に同じである。比較演算装置２３６ａは、光ファイバ２１２のラマン増幅が正常に動作しているときの光パワーＰｐ，Ｐｓ，Ｐｒを、正常時の値Ｐｐｎ，Ｐｓｎ，Ｐｒｎとして記憶装置２４０ａに格納する。比較演算装置２３６ａは、光ファイバ２１４ａのラマン増幅のステータス情報、即ち、障害発生の有無と障害箇所を示す情報を制御装置２３８ａに通知する。
【００７０】
光ファイバ２１４ａにおけるラマン増幅のステータス情報は、光ファイバ２１６ａにおけるラマン増幅のゲインを変調することで、端局２１２から端局２１０に向かう光ＷＤＭ信号Ｓｂに重畳され、端局２１０に送信される。即ち、制御装置２３８ａは、光ファイバ２１４ａにおけるラマン増幅のステータス情報に従い、ポンプＬＤ２２２ｂから出力されるポンプ光のパワーを変調する。ポンプＬＤ２２２ｂから出力されるポンプ光は、光サーキュレータ２２０ｂのポートＡに入力し、ポートＢから光ファイバ２１６ａに出力される。端局２１２は、端局２１０に向けた光ＷＤＭ信号Ｓｂを光ファイバ２１６ａに出力し、光ファイバ２１６ａでは、光ＷＤＭ信号Ｓｂは、ポンプＬＤ２２２ｂから出力されるポンプ光によりラマン増幅される。これにより、光ファイバ２１４ａのラマン増幅のステータス情報（テレメトリ信号）が光ＷＤＭ信号Ｓｂに重畳される。ラマン増幅された光ＷＤＭ信号Ｓｂは、光サーキュレータ２２０ｂのポートＢに入力し、ポートＣから光アイソレータ２２８ｂに入力する。
【００７１】
光アイソレータ２２８ｂは光ファイバ２１６ｂからの戻り光（反射光及び散乱光）及び、端局２１０と光中継器２１８との間に位置する光中継器（図示せず）からのポンプ光が光中継装器２１８の内部に入るのを防止する。光ＷＤＭ信号Ｓｂとテレメトリ信号は、光アイソレータ２２８ａを通過し、光ファイバ２１６ｂに入力する。
【００７２】
光ファイバ２１６ｂを伝搬した光ＷＤＭ信号Ｓｂとテレメトリ信号は、端局２１０の光受信装置２１０ｃに入力する。光受信装置２１０ｃは、光ファイバ２１６ｂから入力する光から、光ＷＤＭ信号Ｓｂが搬送するデータＤｂを復元して出力する。光受信装置２１０ｃはまた、光ＷＤＭ信号Ｓｂに重畳されているテレメトリ信号（光ファイバ２１４ａにおけるラマン増幅のステータス情報）を復調して、監視制御回２路１０ａに供給する。監視制御装置２１０ａは、光受信装置２１０ｃからのステータス情報を外部に出力し、必要により光中継器２１８を遠隔制御するテレコマンド信号を生成して光送信装置２１０ｂに供給する。
【００７３】
光アイソレータ２２８ａから光ファイバ２１４ｂに入力された光ＷＤＭ信号Ｓａ（とテレコマンド信号）は、光ファイバ２１４ｂを伝搬して、端局２１２の光受信装置２１２ｃに入力する。光受信装置２１２ｃは、光ファイバ２１４ｂから入力する光から、光ＷＤＭ信号Ｓａが搬送するデータＤａを復元して出力する。
【００７４】
光ファイバ２１６ａにおけるラマン増幅のステータスを監視するための光中継器２１８の構成及びその動作は、光ファイバ２１４ａにおけるラマン増幅のステータスを監視する上述の構成及びその動作と実質的に同じである。即ち、受光器２２４ｂ、光分波器２２６ｂ、光アイソレータ２２８ｂ、光分離器２３０ｂ、受光器２３２ｂ，２３４ｂ、比較演算装置２３６ｂ、制御装置２３８ｂ及び記憶装置２４０ｂは、それぞれ、受光器２２４ａ、光分波器２２６ａ、光アイソレータ２２８ａ、光分離器２３０ａ、受光器２３２ａ，２３４ａ、比較演算装置２３６ａ、制御装置２３８ａ及び記憶装置２４０ａに関して上述したのと同様に動作する。
【００７５】
光ファイバ２１４ｂから光受信装置２１２ｃに入力する光ＷＤＭ信号Ｓａには、光ファイバ２１６ａにおけるラマン増幅のステータス情報が重畳されている場合がありうる。その場合、光受信装置２１２ｃは、そのステータス情報を監視制御装置２１２ａに供給する。監視制御装置２１２ａは光受信装置２１２ｃからのステータス情報を外部に出力し、必要により光中継器２１８を遠隔制御するテレコマンド信号を生成して光送信装置２１２ｂに供給する。
【００７６】
本実施例では、制御装置２３６ａ，２３６ｂが互いに情報をやり取りできるので、光ファイバ２１４ａにおけるラマン増幅のステータス情報を端局２１２に送信することも可能である。同様に、光ファイバ２１６ａにおけるラマン増幅のステータス情報を端局２１０に送信することも可能である。
【００７７】
本実施例の機能を理解しやすいように、比較演算装置２３６ａ、制御装置２３８ａ及び記憶装置２４０ａを別々の機能ブロックで例示したが、実際には、これらの機能を１つのマイクロコンピュータで実現できる。比較演算装置２３６ｂ、制御装置２３８ｂ及び記憶装置２４０ｂの部分も同様に、１つのマイクロコンピュータで実現できる。更には、比較演算装置２３６ａ、制御装置２３８ａ、記憶装置２４０ａ、比較演算装置２３６ｂ、制御装置２３８ｂ及び記憶装置２４０ｂを１つのマイクロコンピュータで実現することも容易である。
【００７８】
光ファイバ１４ａにおけるラマン増幅の障害の有無及び箇所の判定アルゴリズムは、図１に示す実施例で説明したのと同じであるので、説明を省略する。
【００７９】
【発明の効果】
以上の説明から容易に理解できるように、本発明によれば、ラマン増幅光伝送媒体の障害（例えば、増幅特性の劣化）の有無と、障害箇所又は障害要因を容易に識別できる。即ち、光伝送媒体の障害（例えば、損失の増加）か、ラマンポンプ光の障害（ポンプ光源の障害及びポンプ光の伝送障害等）かを容易に識別でき、迅速に適切な対策を執ることができる。
【図面の簡単な説明】
【図１】本発明の第１実施例の概略構成ブロック図である。
【図２】光ファイバ１２から光中継器１４に入力する光のスペクトル例である。
【図３】第１実施例の動作フローチャートである。
【図４】障害の有無と箇所の判別処理（Ｓ５）の詳細なフローチャートである。
【図５】後方励起の場合の、障害原因による信号光パワーＰｓとレイリー散乱光パワーＰｒの変化例である。
【図６】第１実施例の変更例の概略構成ブロック図である。
【図７】第２実施例の概略構成ブロック図である。
【図８】前方励起の場合の、障害要因別の光パワーＰｓ，Ｐｒの変化例である。
【図９】第３実施例の概略構成ブロック図である。
【図１０】双方向励起の場合の、障害要因別の光パワーＰｓ，Ｐｒの変化例である。
【図１１】第４実施例の概略構成ブロック図である。
【符号の説明】
１０：端局
１０ａ：光送信装置
１０ｂ：監視制御装置
１０ｃ：光アンプ
１２：光ファイバ
１４：光中継器
１６：光ファイバ
１８：端局
１８ａ：光受信装置
２０：光サーキュレータ
２２：ポンプＬＤ
２４：受光器
２６：光分波器
２８：光アイソレータ
３０：光分離器
３２，３４：受光器
３６：比較演算装置
３８：記憶装置
４０：送信装置
４２：比較演算装置
４４：記憶装置
１１０：端局
１１０ａ：光送信装置
１１０ｂ：監視制御装置
１１０ｃ：光アンプ
１１２：光ファイバ
１１４：光中継器
１１４ａ：光中継器
１１６：光ファイバ
１１８：端局
１１８ａ：光受信装置
１２０：ポンプＬＤ
１２２：光合波器
１２４：受光器
１２６：光分波器
１２８：光アイソレータ
１３０：光分離器
１３２，１３４：受光器
１３６：送信装置
１３８：ポンプＬＤ
１４０：光合波器
１４２：受光器
１４４：比較演算装置
１４６：記憶装置
１５０：光サーキュレータ
１５２：ポンプＬＤ
１５４：受光器
１５６：送信装置
１５８：比較演算装置
１６０：記憶装置
２１０：端局
２１０ａ：監視制御装置
２１０ｂ：光送信装置
２１０ｃ：光受信装置
２１２：端局
２１２ａ：監視制御装置
２１２ｂ：光送信装置
２１２ｃ：光受信装置
２１４ａ，２１４ｂ，２１６ａ，２１６ｂ：光ファイバ
２１８：光中継器
２２０ａ，２２０ｂ：光サーキュレータ
２２２ａ，２２２ｂ：ポンプＬＤ
２２４ａ，２２４ｂ：受光器
２２６ａ，２２６ｂ：光分波器
２２８ａ，２２８ｂ：光アイソレータ
２３０ａ，２３０ｂ：光分離器
２３２ａ，２３２ｂ：受光器
２３４ａ，２３４ｂ：受光器
２３６ａ，２３６ｂ：比較演算装置
２３８ａ，２３８ｂ：制御装置
２４０ａ，２４０ｂ：記憶装置
【図１】
2004080301.tif 000003
【図２】
2004080301.tif 000004
【図３】
2004080301.tif 000005
【図４】
2004080301.tif 000006
【図５】
2004080301.tif 000007
【図６】
2004080301.tif 000008
【図７】
2004080301.tif 000009
【図８】
2004080301.tif 000010
【図９】
2004080301.tif 000011
【図１０】
2004080301.tif 000012
【図１１】
2004080301.tif 000013